(57)【要約】【課題】外部機器に画像データを送信できる表示システム及びプロジェクタを提供すること。【解決手段】表示システム１は、画像供給装置（ＰＣ）２及び画像表示装置（プロジェクタ）３を備える。画像供給装置２は、所定の画像に係る画像データを含むデータ部に、シリアル通信に則したヘッダ情報を付加した第一送信データを生成する第一データ生成手段（データ生成手段）２２と、第一送信データをシリアル送信する第一送信手段（データ送信手段）２３を備える。画像表示装置３は、第一送信データを取得するデータ取得手段３１と、第一送信データに基づく画像を形成する画像形成手段３４と、前記データ部に、ＴＣＰ／ＩＰに則したヘッダ情報を付加した第二送信データを生成する第二データ生成手段（データ生成手段）３５と、ネットワーク接続された外部機器（プロジェクタ）４に第二送信データを送信する第二送信手段（パケット送信手段）３６とを備える。【選択図】図１
2009210978.tif 000002
【特許請求の範囲】
【請求項１】
画像データを供給する画像供給装置と、前記画像データに応じた画像を表示する画像表示装置とを備えた表示システムであって、
前記画像供給装置は、
所定の画像に係る画像情報を含むデータ部に、シリアル通信に則したヘッダ情報を付加した第一送信データを生成する第一データ生成手段と、
前記第一送信データを前記画像データとして前記画像表示装置にシリアル送信する第一送信手段を備え、
前記画像表示装置は、
前記第一送信データを取得するデータ取得手段と、
取得された前記第一送信データに基づく画像を形成する画像形成手段と、
取得された前記第一送信データに含まれる前記データ部に、ＴＣＰ／ＩＰに則したヘッダ情報を付加した第二送信データを生成する第二データ生成手段と、
前記第二送信データを、当該画像表示装置にネットワーク接続された外部機器に送信する第二送信手段とを備えることを特徴とする表示システム。
【請求項２】
所定の画像供給装置からシリアル送信された画像データに基づく画像を形成及び投射するプロジェクタであって、
前記画像データを取得するデータ取得手段と、
取得された前記画像データに基づく画像を形成及び投射する画像形成手段と、
取得された前記画像データに含まれ、かつ、所定の画像に係る画像情報を含むデータ部に、ＴＣＰ／ＩＰに則したヘッダ情報を付加した送信データを生成するデータ生成手段と、
前記送信データを、当該プロジェクタにネットワーク接続された外部機器に送信する送信手段とを備えることを特徴とするプロジェクタ。
【請求項３】
請求項２に記載のプロジェクタにおいて、
当該プロジェクタと、前記画像供給装置とは、ＵＳＢ規格に準拠した接続形式で接続されていることを特徴とするプロジェクタ。
【請求項４】
請求項２又は請求項３に記載のプロジェクタにおいて、
前記データ生成手段は、
前記データ部を所定サイズに分割し、分割された前記各データ部のそれぞれに前記ヘッダ情報を付加した複数のパケットを前記送信データとして生成し、
前記送信手段は、前記パケットを所定の時間間隔をもって送信することを特徴とするプロジェクタ。
【発明の詳細な説明】
【技術分野】
【０００１】
本発明は、画像供給装置及び画像表示装置を備えた表示システムと、当該画像表示装置としてのプロジェクタとに関する。
【背景技術】
【０００２】
従来、ＰＣ（Personal Computer）やディスク型記録媒体の再生装置等の画像供給装置と、当該画像供給装置から供給される画像情報に応じた画像を表示する液晶ディスプレイやプロジェクタ等の画像表示装置とを備えた表示システムが知られている。このようなプロジェクタとして、画像供給装置とＵＳＢ接続するためのＵＳＢ端子や、ＴＣＰ／ＩＰ接続するためのＬＡＮ（Local Area Network）端子（イーサネット（登録商標）端子）を備えるプロジェクタが知られている。そして、当該ＵＳＢ端子を用いて、プロジェクタとＰＣとを、ＵＳＢ（Universal Serial Bus）ケーブルを介して接続したプロジェクタシステムが知られている（例えば、特許文献１参照）。
【０００３】
この特許文献１に記載のプロジェクタシステムのように、ＵＳＢ接続では、画像供給装置であるＰＣとプロジェクタとを、物理的にも内部的にも簡易に接続することができるので、使用者の利便性を向上することができる。また、プロジェクタは、大きな画像を容易に形成することができるので、多人数で同じ画像を観察する際に非常に有用であり、このような表示システムは、多くの観察者が参加するプレゼンテーション等に有効に利用される。
【０００４】
【特許文献１】特開２００４−６９９９６号公報
【発明の開示】
【発明が解決しようとする課題】
【０００５】
しかしながら、プロジェクタから投射された画像を観察することができるプレゼンテーション会場から離れた場所でも、同じ画像を表示したいという要望がある。このような要望に対して、プロジェクタにより表示される画像に係る画像データを予め他の画像表示装置に配布しておくことが考えられる。しかしながら、当該他の画像表示装置が複数台ある場合には、データの配布が面倒である。このため、画像データが入力されたプロジェクタから、画像表示装置等の外部機器に、当該画像データを簡易に送信することのできる構成が望まれてきた。
【０００６】
本発明の目的は、画像表示装置から他の外部機器に画像データを送信することができる表示システム、及び、プロジェクタを提供することである。
【課題を解決するための手段】
【０００７】
前記した目的を達成するために、本発明の表示システムは、画像データを供給する画像供給装置と、前記画像データに応じた画像を表示する画像表示装置とを備えた表示システムであって、前記画像供給装置は、所定の画像に係る画像情報を含むデータ部に、シリアル通信に則したヘッダ情報を付加した第一送信データを生成する第一データ生成手段と、前記第一送信データを前記画像データとして前記画像表示装置にシリアル送信する第一送信手段を備え、前記画像表示装置は、前記第一送信データを取得するデータ取得手段と、取得された前記第一送信データに基づく画像を形成する画像形成手段と、取得された前記第一送信データに含まれる前記データ部に、ＴＣＰ／ＩＰに則したヘッダ情報を付加した第二送信データを生成する第二データ生成手段と、前記第二送信データを、当該画像表示装置にネットワーク接続された外部機器に送信する第二送信手段とを備えることを特徴とする。
【０００８】
本発明によれば、画像表示装置は、画像供給装置からシリアル送信された画像データとしての第一送信データに基づいて第二送信データを生成し、当該第二送信データを、画像表示装置にネットワーク接続された外部機器に送信する。これによれば、画像表示装置から他の外部機器に画像データを送信することができるので、当該他の外部機器においても、画像表示装置にて表示される画像と同じ画像を表示することができる。また、この際、画像表示装置と外部機器とがネットワーク接続により接続されているので、当該外部機器が複数存在する場合でも、各外部機器にほぼ同時に画像データを送信することができる。
【０００９】
ここで、例えば、画像表示装置が、第一送信データに係る画像をビデオメモリ上で展開した後、当該画像をキャプチャすることで、外部機器に送信するための画像データを生成する場合には、当該画像データの劣化を招くとともに、画像表示装置での処理の負担が大きくなる。また、画像表示装置が、画像データを所定の形式で圧縮して送信する場合には、当該画像表示装置での処理の負担は更に増大する。一方、画像表示装置は、ＰＣ等の画像供給装置に比べて、高速な演算処理装置を内蔵していないことが多いため、画像表示装置の処理に係る負担が増大すると、当該画像表示装置での処理が滞り、画像表示に悪影響を及ぼす可能性が生じる可能性がある。
【００１０】
これに対し、本発明では、画像表示装置は、取得された第一送信データに含まれるデータ部に変更を加えずに、当該第一送信データに基づいて第二送信データを生成するので、外部機器に送信する第二送信データに含まれるデータ部の劣化を防ぐことができる。また、これにより、当該第二送信データの生成に係る画像表示装置の処理に係る負担を軽減することができる。従って、外部機器にて、画像表示装置で表示される画像と同じ画像を確実に表示することができるほか、当該画像表示装置における処理の負担を軽減することができる。
【００１１】
また、本発明のプロジェクタは、所定の画像供給装置からシリアル送信された画像データに基づく画像を形成及び投射するプロジェクタであって、前記画像データを取得するデータ取得手段と、取得された前記画像データに基づく画像を形成及び投射する画像形成手段と、取得された前記画像データに含まれ、かつ、所定の画像に係る画像情報を含むデータ部に、ＴＣＰ／ＩＰに則したヘッダ情報を付加した送信データを生成するデータ生成手段と、前記送信データを、当該プロジェクタにネットワーク接続された外部機器に送信する送信手段とを備えることを特徴とする。
【００１２】
本発明によれば、前述の表示システムと同様の効果を奏することができる。
すなわち、本発明のプロジェクタは、画像供給装置からシリアル送信された画像データのデータ部に変更を加えずに、ＴＣＰ／ＩＰに則した送信データを生成し、当該送信データを外部機器に送信する。これによれば、当該外部機器においても、プロジェクタが表示する画像と同じ画像を確実に表示することができるほか、プロジェクタにおける送信データの生成処理に係る負担を軽減することができる。
【００１３】
本発明では、当該プロジェクタと、前記画像供給装置とは、ＵＳＢ規格に準拠した接続形式で接続されていることが好ましい。
ここで、ＵＳＢ規格に準拠した接続形式、すなわち、ＵＳＢ接続では、画像供給装置とプロジェクタとがＵＳＢケーブルで接続されることとなる。これによれば、これら画像供給装置とプロジェクタとの接続を容易に行うことができる。また、ＵＳＢ接続では、画像供給装置及びプロジェクタは、互いを一対一で識別するので、当該画像供給装置及びプロジェクタにおける互いの識別処理を簡略化することができる。
【００１４】
本発明では、前記データ生成手段は、前記データ部を所定サイズに分割し、分割された前記各データ部のそれぞれに前記ヘッダ情報を付加した複数のパケットを前記送信データとして生成し、前記送信手段は、前記パケットを所定の時間間隔をもって送信することが好ましい。
本発明によれば、送信手段が、データ生成手段により生成された送信データとしてのパケットを、所定の時間間隔をもって送信するので、プロジェクタ及び外部機器のそれぞれの通信状態が、当該プロジェクタ及び外部機器間のデータ送信により独占されることを防ぐことができる。従って、プロジェクタ及び外部機器のそれぞれで、他の外部機器との通信を行うことが可能となる。
【発明を実施するための最良の形態】
【００１５】
以下、本発明の一実施形態を図面に基づいて説明する。
図１は、本実施形態に係る表示システム１の構成を示すブロック図である。
本実施形態に係る表示システム１は、図１に示すように、ＰＣ（Personal Computer）２と、当該ＰＣ２とＵＳＢケーブルを介してシリアル接続されるプロジェクタ３と、当該プロジェクタ３とＴＣＰ／ＩＰ（Transmission Control Protocol／Internet Protocol）に則したＬＡＮ（Local Area Network）接続により接続されるプロジェクタ４とを備えている。
【００１６】
〔ＰＣの構成〕
ＰＣ２は、一般的なＰＣで構成され、所定のアプリケーション等を起動して、所定の処理を実行する。また、ＰＣ２は、当該ＰＣ２にて生成された画像をプロジェクタ３にて表示する場合には、ＨＤＤ（Hard Disk Drive）等の記憶手段（図示省略）に記憶された画像送信プログラムを起動して、当該ＰＣ２にＵＳＢ接続されたプロジェクタ３に画像データをシリアル送信する。すなわち、ＰＣ２は、本発明の画像供給装置に相当し、当該ＰＣ２は、画像生成手段２１、データ生成手段２２及びデータ送信手段２３を備えている。
このうち、画像生成手段２１は、ＰＣ２の動作状態を示す画像等の画像データを生成する。
【００１７】
図２は、ＰＣ２及び後述するプロジェクタ３にて生成される送信データの構成を示す図である。このうち、図２（Ａ）〜（Ｃ）は、ＰＣ２にて生成されるデータであり、図２（Ｄ）〜（Ｈ）は、プロジェクタ３にて生成されるデータである。
データ生成手段２２は、画像送信プログラムの実行時に動作し、画像生成手段２１により生成された画像データに基づいて、プロジェクタ３に送信する送信データを生成する。このデータ生成手段２２は、画像圧縮部２２１及びパケット生成部２２２を備えている。
画像圧縮部２２１は、画像生成手段２１により生成された画像データを所定の圧縮形式（本実施形態では、ＪＰＥＧ（Joint Photographic Experts Group）形式）で圧縮した圧縮データを生成する。そして、画像圧縮部２２１は、図２（Ａ）に示すように、圧縮データ（図２（Ａ）において「ＪＰＥＧデータ」で示す）に、圧縮形式、表示画像上での当該圧縮データの位置を示す座標、及び、当該圧縮データのサイズ等の情報を含むヘッダ情報を付加した圧縮済み画像データを生成する。この「ＪＰＥＧデータ」で示される圧縮データが、本発明のデータ部に相当する。
【００１８】
パケット生成部２２２は、画像圧縮部２２１により生成された圧縮済み画像データから、ＵＳＢ送信に則したパケットを生成する。具体的に、パケット生成部２２２は、図２（Ｂ）に示すように、生成された圧縮済み画像データを所定サイズごとに分割した後、図２（Ｃ）に示すように、分割された各データにＵＳＢヘッダを付加したパケットを生成する。このＵＳＢヘッダには、自動的に割り振られるアドレスや、パケットのサイズ等を示す情報が含まれている。これらパケットが、本発明の第一送信データに相当し、ＵＳＢヘッダが、本発明のヘッダ情報に相当する。
図１に戻り、データ送信手段２３は、パケット生成部２２２により生成されたパケットを、ＵＳＢケーブルを介して接続されたプロジェクタ３に、画像データとしてシリアル送信する。すなわち、データ送信手段２３は、本発明の第一送信手段に相当する。
【００１９】
〔プロジェクタの構成〕
プロジェクタ３は、当該プロジェクタ３に接続された画像供給装置からシリアル送信された画像データを取得して、当該画像データに基づく画像をスクリーン等の投射面上に拡大投射する画像表示装置である。また、プロジェクタ３は、当該画像データに基づいて、ＴＣＰ／ＩＰに則した画像データを生成し、生成した画像データをＬＡＮ接続されたプロジェクタ４に出力する。このようなプロジェクタ３は、ＰＣ２と接続するためのＵＳＢ端子（図示省略）と、外部機器としてのプロジェクタ４と接続するためのＬＡＮ端子（図示省略）とを備えるほか、図１に示すように、データ取得手段３１、データ復元手段３２、画像処理手段３３、画像形成手段３４、データ生成手段３５及びデータ送信手段３６を備えている。
【００２０】
データ取得手段３１は、画像供給装置（例えば、ＰＣ２）から入力される画像データとしてのパケットを取得する。また、データ取得手段３１は、プロジェクタ３が他の画像供給装置とＬＡＮ接続されている場合には、当該他の画像供給装置から送信されるパケットを取得する。
【００２１】
データ復元手段３２は、図２（Ｄ）に示すように、取得された各パケットからＵＳＢヘッダを除去したデータを生成する。そして、データ復元手段３２は、図２（Ｅ）に示すように、当該各データを結合して、ＰＣ２の画像圧縮部２２１により生成された圧縮済み画像データを復元する。このようにして復元された圧縮済み画像データは、画像処理手段３３及びデータ生成手段３５に出力される。なお、データ復元手段３２は、データ取得手段３１がＬＡＮ接続された他の画像供給装置からパケットを取得した場合には、各パケットから後述するＴＣＰ／ＩＰヘッダを除去した後、当該各パケットを結合することで、当該他の画像供給装置で生成された画像データを復元する。
【００２２】
画像処理手段３３は、復元された画像データに、所定の処理（ガンマ補正等）を行った後、当該画像データに基づく画像を画像形成手段３４に形成させるべく、当該画像形成手段３４の駆動を制御する。具体的に、画像処理手段３３は、当該画像データをビデオメモリ（図示省略）に展開し、当該画像データに応じた駆動信号を、画像形成手段３４に出力する。すなわち、画像処理手段３３は、表示制御手段としての機能も有している。
【００２３】
画像形成手段３４は、画像処理手段３３から入力する駆動信号に応じて駆動して、プロジェクタ３に入力した画像データに応じた画像を形成及び投射する。この画像形成手段３４は、光源装置３４１、光変調装置３４２及び投射光学装置３４３を備えている。なお、図示を省略したが、画像形成手段３４は、これらの構成の他に、光源装置３４１から射出された光束を赤（Ｒ）、緑（Ｇ）及び青（Ｂ）の各色光に分離する色分離光学装置、及び、各色光を合成するクロスダイクロイックプリズム等の色合成光学装置を備え、光変調装置は、各色光の光路上に配置されている。
【００２４】
光源装置３４１は、放電型の光源ランプと、当該光源ランプから出射された放射光を反射して所定位置に収束させるリフレクタとを備えている。なお、本実施形態では、光源ランプは、超高圧水銀ランプで構成したが、他の放電型の光源ランプを備える構成としてもよい。また、光源装置３４１は、光源ランプに代えて、ＬＥＤ（Light Emitting Diode）及びＬＤ（Laser Diode）等の固体光源、並びに、有機ＥＬ（Electroluminescence）素子を備える構成とすることも可能である。
【００２５】
光変調装置３４２は、一対の透明なガラス基板に電気光学物質である液晶が密閉封入された構成を有する液晶パネルと、当該液晶パネルを挟むように配置された一対の偏光板とを備えている。このうち、液晶パネルは、画像処理手段３３から入力される駆動信号に応じて、当該液晶の配向状態が制御され、入射光束の偏光方向を変調する。なお、前述のように、光変調装置３４２は、色合成光学装置で分離された赤（Ｒ）、緑（Ｇ）及び青（Ｂ）の各色光の光路上に配置され、当該各光変調装置により、各色光に係る画像光が形成される。そして、これら各画像光は、色合成光学装置により合成され、カラー画像に係る画像光が形成される。
投射光学装置３４３は、色合成光学装置により合成された画像光を拡大投射するものである。この投射光学装置３４３は、鏡筒と、当該鏡筒内部に収納される複数のレンズとを備えた組レンズとして構成されている。
【００２６】
データ生成手段３５は、本発明の第二データ生成手段及びデータ生成手段に相当し、データ復元手段３２により復元された画像データに基づいて、当該プロジェクタ３に接続された外部機器（例えば、プロジェクタ４）に送信するパケット（本発明の第二送信データ及び送信データに相当）を生成する。このデータ生成手段３５は、ヘッダ更新部３５１及びパケット生成部３５２を備えている。
【００２７】
ヘッダ更新部３５１は、図２（Ｆ）に示すように、復元された画像データに含まれるヘッダ情報を、プロジェクタ３を構成するハードウェアに則したヘッダ情報に更新する。
パケット生成部３５２は、図２（Ｇ）に示すように、ヘッダ情報が更新された画像データを所定サイズに分割した後、図２（Ｈ）に示すように、分割された各画像データにＴＣＰ／ＩＰに則したＴＣＰ／ＩＰヘッダを付加したパケットを生成する。このＴＣＰ／ＩＰヘッダには、送信先の外部機器に割り振られたＩＰアドレスや、パケットのサイズ等の情報が含まれ、当該ＴＣＰ／ＩＰヘッダは、本発明のＴＣＰ／ＩＰに則したヘッダ情報に相当する。
【００２８】
図１に戻り、パケット送信手段３６は、本発明の第二送信手段及び送信手段に相当し、パケット生成部３５２により生成された各パケットを画像データとして、所定の時間間隔をもって、ＬＡＮ接続された外部機器（例えば、プロジェクタ４）に送信する。この際、パケット送信手段３６は、ＴＣＰ／ＩＰヘッダに示されるＩＰアドレスを有する外部機器宛に、当該パケットを送信する。
【００２９】
プロジェクタ４は、前述のプロジェクタ３と同様の構成を備えている。すなわち、当該プロジェクタ４は、データ取得手段３１、データ復元手段３２、画像処理手段３３、画像形成手段３４、データ生成手段３５及びデータ送信手段３６を備える。そして、プロジェクタ４では、データ取得手段３１が、プロジェクタ３から送信された画像データとしてのパケットを取得し、データ復元手段３２が、取得されたパケットから、ＰＣ２にて生成された画像データ（圧縮済み画像データ）を復元することで、プロジェクタ３で表示される画像と同じ画像を表示することができる。
【００３０】
〔表示システムでの処理〕
図３は、ＰＣ２及びプロジェクタ３で実行される画像データ送信に係る処理を示すフローチャートである。
上記のように、表示システム１では、ＰＣ２にて、画像送信プログラムが実行されることで、ＵＳＢ接続でのシリアル通信に則した画像データの画像送信処理が行われる。また、プロジェクタ３にて、送信された画像データを取得して、当該画像データに基づく画像が表示されるとともに、当該画像データからＴＣＰ／ＩＰに則した画像データが生成されて、ＬＡＮ接続された外部機器に送信される。これら処理について、以下に説明する。なお、以下の説明では、プロジェクタ３における画像データに係る画像の表示処理については、説明を省略する。
【００３１】
〔ＰＣでの処理〕
ＰＣ２では、図３に示すように、画像生成手段２１が、プロジェクタ３に表示させる表示画像に係る画像データを生成する（ステップＳ１１）。
次に、データ生成手段２２の画像圧縮部２２１が、生成された画像データを所定の圧縮形式で圧縮した圧縮データ（本発明のデータ部に相当）を生成するとともに、当該圧縮データにヘッダ情報を付加した圧縮済み画像データを生成する（ステップＳ１２）。
そして、パケット生成部２２２が、生成された圧縮済み画像データを所定サイズに分割し、当該分割された各画像データにＵＳＢヘッダを付加したパケットを生成する（ステップＳ１３）。
この後、データ送信手段２３が、生成された各パケットを、ＵＳＢ接続されたプロジェクタ３にシリアル送信する（ステップＳ１４）。
以上のステップＳ１１〜Ｓ１４は、画像送信プログラムが実行されている間は、繰り返し実行される。
【００３２】
〔プロジェクタでの処理〕
プロジェクタ３では、データ取得手段３１が、ＰＣ２から送信された各パケットを取得し（ステップＳ２１）、データ復元手段３２が、当該各パケットから、ＰＣ２にて生成された圧縮済み画像データを復元する（ステップＳ２２）。
次に、データ生成手段３５のヘッダ更新部３５１が、復元された画像データのヘッダ情報を更新する（ステップＳ２３）。
そして、パケット生成部３５２が、更新された画像データを所定サイズに分割し、分割された各画像データにＴＣＰ／ＩＰヘッダを付加したパケットを生成する（ステップＳ２４）。
【００３３】
この後、パケット送信手段３６が、生成された各パケットを、ＬＡＮ接続されたプロジェクタ４に送信する（ステップＳ２５）。これら各パケットを取得したプロジェクタ４は、前述のように、当該各パケットから圧縮済み画像データを復元し、プロジェクタ３により表示される画像と同じ画像を表示する。
以上のステップＳ２１〜Ｓ２５は、プロジェクタ３から外部機器に画像データを送信する必要がある状態（当該ステップＳ２１〜Ｓ２５を実行させるプロジェクタ３の画像送信プログラムが実行中である状態）では、繰り返し実行される。
【００３４】
以上説明した本実施形態の表示システム１によれば、以下の効果がある。
（１）画像表示装置としてのプロジェクタ３は、画像供給装置としてのＰＣ２から、ＵＳＢヘッダが付加されてシリアル送信された画像データとしての各パケットを取得する。そして、当該プロジェクタ３は、取得されたパケットから、ＰＣ２で生成された圧縮済み画像データを復元し、復元された画像データから、ＴＣＰ／ＩＰヘッダが付加されたパケットを生成して、当該パケットをプロジェクタ３に接続されたプロジェクタ４（外部機器）に送信する。これによれば、プロジェクタ３からプロジェクタ４に、ＰＣ２から取得された画像データに基づく画像データを送信することができるので、当該プロジェクタ４においても、プロジェクタ３にて表示される画像と同じ画像を表示することができる。
【００３５】
また、プロジェクタ３は、取得されたパケットから復元された圧縮データに変更を加えずに、プロジェクタ４に送信するためのパケットを生成する。これによれば、圧縮データが劣化することなく、当該圧縮データを含む画像データがプロジェクタ４に送信されるので、当該プロジェクタ４にて表示される画像の劣化を防ぐことができるとともに、当該プロジェクタ４で、プロジェクタ３と同じ画像を確実に表示することができる。また、ＰＣ２が、プロジェクタ３，４での表示画像に係る画像データを圧縮する一方、プロジェクタ３は、圧縮データの変更を行わないので、プロジェクタ４に送信されるパケットの生成に係るプロジェクタ３の処理に係る負担を軽減することができる。
【００３６】
（２）ＰＣ２とプロジェクタ３とは、ＵＳＢ接続されているので、これらを物理的に簡易に接続することができる。また、当該ＵＳＢ接続では、ＰＣ２及びプロジェクタ３は、他方を一対一で識別するので、当該画像データを送信する側であるＰＣ２と、画像データを受信する側であるプロジェクタ３における互いの識別処理を簡略化することができる。
【００３７】
（３）パケット送信手段３６は、生成されたパケットを、所定の時間間隔をもってプロジェクタ４に送信するので、プロジェクタ３，４のそれぞれの通信状態が、当該プロジェクタ３，４間の送信データ送信により独占されることを防ぐことができる。従って、プロジェクタ３，４のそれぞれで、他の外部機器との通信を行うことが可能となる。
【００３８】
〔実施形態の変形〕
本発明は前述の実施形態に限定されるものではなく、本発明の目的を達成できる範囲での変形、改良等は本発明に含まれるものである。
前記実施形態では、ＰＣ２とプロジェクタ３とは、ＵＳＢケーブルを用いた有線ＵＳＢ接続により接続されるとしたが、本発明はこれに限らない。例えば、これらをワイヤレスＵＳＢにより接続してもよく、Ｂｌｕｅｔｏｏｔｈ（登録商標）により接続してもよい。すなわち、ＰＣ２からプロジェクタ３に画像データをシリアル送信することが可能であれば、ＰＣ２とプロジェクタ３との接続形式は問わない。
また、プロジェクタ３とプロジェクタ４との接続形式も、有線ＬＡＮ接続に限らず、無線ＬＡＮ接続としてもよい。すなわち、ＴＣＰ／ＩＰに則してプロジェクタ３からプロジェクタ４に画像データを送信することが可能であれば、他の接続形式でもよい。
【００３９】
前記実施形態では、パケット送信手段３６は、データ生成手段３５により生成されたパケットを所定の時間間隔をもって送信するとしたが、本発明はこれに限らない。すなわち、プロジェクタ３，４間の通信状態を独占できるのでれば、当該パケットを連続して送信してもよい。
前記実施形態では、ＰＣ２は、生成した画像データをＪＰＥＧ形式で圧縮した後、当該圧縮された画像データに係るパケットをプロジェクタに送信するとしたが、本発明はこれに限らず、他の圧縮形式を採用してもよい。
【００４０】
前記実施形態では、プロジェクタ３に接続される外部機器は、プロジェクタ４の１台のみであったが、本発明はこれに限らない。すなわち、画像データを送信するプロジェクタ３に複数の外部機器が接続されていてもよく、このような場合、当該プロジェクタ３が各外部機器に画像データを送信するように構成すればよい。
【００４１】
前記実施形態では、光変調装置として液晶パネルを備えたプロジェクタ３を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタに、本発明を適用することも可能である。
【００４２】
前記実施形態では、表示システム１に、画像供給装置としてＰＣ２を採用したが、本発明はこれに限らない。例えば、画像供給装置は、ディスク型記録媒体の再生装置等としてもよく、接続された画像表示装置に画像データをシリアル送信することができれば、他の装置を採用してもよい。同様に、表示システム１には、画像表示装置としてプロジェクタ３を採用したが、本発明はこれに限らず、例えば、液晶、プラズマ、有機ＥＬ（electroluminescence）、ＣＲＴ（Cathode Ray Tube）等の各種ディスプレイを採用することもできる。すなわち、画像表示装置は、画像供給装置から取得される画像データに基づく画像を表示可能に構成され、かつ、当該画像データに基づいて生成した画像データを、他の外部機器に送信することが可能であればよい。更に、表示システム１では、外部機器としてプロジェクタ４を採用したが、本発明はこれに限らず、前述の各種ディスプレイ、印刷装置、及び、記憶装置等を採用してもよい。
【産業上の利用可能性】
【００４３】
本発明は、ＰＣ等の画像供給装置と、当該画像供給装置から送信される画像データに係る画像を表示する画像表示装置とを備える表示システムに利用でき、画像表示装置としてのプロジェクタにも利用することができる。
【図面の簡単な説明】
【００４４】
【図１】本発明の一実施形態に係る表示システムの構成を示すブロック図。
【図２】前記実施形態に係る表示システムが生成する画像データの構成を示す図。
【図３】前記実施形態に係るＰＣ及びプロジェクタの処理を示すフローチャート。
【符号の説明】
【００４５】
１…表示システム、２…ＰＣ（画像供給装置）、３…プロジェクタ（画像表示装置）、２２…データ生成手段（第一データ生成手段）、２３…データ送信手段（第一送信手段）、３１…データ取得手段、３４…画像形成手段、３５…データ生成手段（第二データ生成手段）、３６…パケット送信手段（第二送信手段、送信手段）。
【図１】
2009210978.tif 000003
【図２】
2009210978.tif 000004
【図３】
2009210978.tif 000005